(57)【要約】【課題】録画した番組の再生時に自動的にかつ正確にＣＭをスキップする機能を提供する。また、自動的にＣＭをスキップして再生した時、放送事業者や番組の提供者の不利益にならないよう別途ＣＭを視聴してもらう仕組みを設ける。【解決手段】録画する番組からＣＭ部分を検出するＣＭ検出部１１と、録画した番組を再生する際に付随するＣＭ部分を視聴したかどうかを管理するＣＭ視聴管理部１２と、録画した番組の再生時に番組の本編とＣＭ部分とを分離して再生する分離再生制御部１３と、ＣＭ部分を視聴するまで録画装置から削除処理を禁止する削除可否判定部１４を備えることにより録画した番組から本編部分とＣＭ部分を正確に分離して再生する機能と、再生して視聴した番組に付随するＣＭ部分を必ず視聴してもらえるようにする仕組みを提供することができる。【選択図】図１
2006252651.tif 000002
【特許請求の範囲】
【請求項１】
録画する番組からコマーシャルメッセージ（以後ＣＭと記述する）部分を検出するＣＭ検出部と、録画した番組を再生する際に付随するＣＭ部分を視聴したかどうかを管理するＣＭ視聴管理部と、録画した番組の再生時に番組の本編とＣＭ部分とを分離して再生する分離再生制御部と、ＣＭ部分を視聴するまで録画装置から削除処理を禁止する削除可否判定部を具備する録画再生装置。
【請求項２】
再生時に標準速度で再生したのか倍速なのかといった再生方法を前記ＣＭ視聴管理部に送る手段を備え、ＣＭ視聴管理部におけるＣＭ視聴判定に再生方法を条件に加えることを特徴とする請求項１に記載の録画再生装置。
【請求項３】
ＣＭの視聴の代償となる行為を行ったことを判定するＣＭ視聴代償行為判定部を備えＣＭ視聴代償行為の実施を前記ＣＭ視聴管理部に送る手段を備え、ＣＭ視聴管理部におけるＣＭ視聴判定にＣＭ視聴代償行為の実施を条件に加えることを特徴とする請求項１に記載の録画再生装置。
【発明の詳細な説明】
【技術分野】
【０００１】
本発明は、放送を受信し録画および再生ができる装置を備える機器に関する。
【背景技術】
【０００２】
近年、ＤＶＤレコーダーやＨＤＤレコーダー等の録画再生装置が急速に普及してきている。これら録画再生装置の特徴の一つとして容易に見たいシーンにスキップする機能がある。スキップ機能は特にＣＭのスキップに用いられ、番組に付随するＣＭが視聴されないといった状況が増加しつつある。番組の提供者としてはＣＭを見てもらえないとＣＭを出す意味がない。
【０００３】
一方、視聴者としては番組に挿入されるＣＭは番組視聴に対して集中を切らせてしまい、時によっては煩わしいこともある。また、ＣＭをスキップするために機器を操作するのも煩わしく感じることがある。自動的にＣＭをスキップする仕組みとしては、番組本編がステレオ以外、ＣＭがステレオといった放送が多いことを利用して図６に例示するような構成で、番組の音多信号の変化を検出してＣＭを検出しＣＭと判定した部分をスキップする機能が提供されているが、必ずしもそのような音多放送の組み合わせで放送されるとは限らないので正確性に欠ける。
【０００４】
ＣＭを無くし番組本編のみを集中的に放送する仕組みとしては有料放送がある。有料放送を録画再生するためのシステムの一例を図７に示す。図７のシステムは録画装置の前段で録画しようとする番組が有料放送か否かを判断し、有料放送の場合は課金制御部で課金処理を行い、デコードを実行する。
【０００５】
有料放送による課金システムを用いたＣＭ削除の仕組みは特開２００１−２４５２４２号公報に開示されている。
【特許文献１】特開２００１−２４５２４２号公報
【発明の開示】
【発明が解決しようとする課題】
【０００６】
しかしながら、一部の放送を除き放送は無料が当然といった視聴者の心理を考慮すると新たに視聴者に対して課金を強いることを理解してもらうのは非常に困難なことである。
【０００７】
本発明が解決しようとする課題は、視聴者に対し課金を伴わず、自動的にかつ正確にＣＭをスキップする機能を提供する有用な手段がないことである。また、ＣＭをスキップする機能を提供した場合、放送事業者や番組提供者の不利益になる点を考慮しなければならない。
【０００８】
従って、本発明の目的は録画した番組から本編部分とＣＭ部分を正確に分離して再生する機能と、再生して視聴した番組に付随するＣＭ部分を必ず視聴してもらえるようにする仕組みを提供することである。
【課題を解決するための手段】
【０００９】
本発明は放送事業者が映像や音声以外の情報を付加するＶＢＩ等の公知の仕組みを用いて現在放送している放送の内容がＣＭかどうかの情報を付加してもらうことを前提条件とする。
【００１０】
第１の発明の録画再生装置は録画する番組からＣＭ部分を検出するＣＭ検出部と、録画した番組を再生する際に付随するＣＭ部分を視聴したかどうかを管理するＣＭ視聴管理部と、録画した番組の再生時に番組の本編とＣＭ部分とを分離して再生する分離再生制御部と、ＣＭ部分を視聴するまで録画装置から削除処理を禁止する削除可否判定部を具備する。
【００１１】
第２の発明の録画装置は第１の発明に、再生時に標準速度で再生したのか倍速なのかといった再生方法を前記のＣＭ視聴管理部に送る手段を備え、ＣＭ視聴管理部におけるＣＭ視聴判定に再生方法を条件に加える。
【００１２】
第３の発明の録画再生装置は第１の発明に、ＣＭの視聴の代償となる行為を行ったことを判定するＣＭ視聴代償行為判定部を備えＣＭ視聴代償行為の実施を前記ＣＭ視聴管理部に送る手段を備え、ＣＭ視聴管理部におけるＣＭ視聴判定にＣＭ視聴代償行為の実施を条件に加える。
【発明の効果】
【００１３】
上記のように、第１の発明においては、録画した番組から本編部分とＣＭ部分を正確に分離して再生する機能と、再生して視聴した番組に付随するＣＭ部分を必ず視聴してもらえるようにする仕組みを提供することができる。
【００１４】
また、第２の発明においては、ＣＭの視聴判定を番組提供者が許容する再生速度の範囲に限定できるので、非常に早い倍速再生による視聴によりＣＭの内容を視聴者に理解してもらえないといった問題を防止することができる。
【００１５】
第３の発明においては、ＣＭ視聴の代償行為、例えば一つの手段としてはインターネット閲覧手段を内蔵している機器においては番組の指定するＷＥＢを閲覧することや、別の手段としてメモリーカード等の記録媒体にＣＭをコピーして携帯端末でＣＭを視聴するといった行為をＣＭ削除可能にする条件に加えることができる。
【発明を実施するための最良の形態】
【００１６】
本発明は放送事業者が映像や音声以外の情報を付加するＶＢＩ等の公知の仕組みを用いて現在放送している放送の内容がＣＭかどうかの情報を付加してもらうことを前提条件とする。
【００１７】
（実施の形態１）
図１は、本発明に係わる実施の形態の一例を表すブロック図である。１は録画装置、２は録画した内容を再生する再生処理部、３は再生信号の経路を選択する再生経路選択部、４はＣＲＴやＬＣＤなどディスプレイ装置、５は前記１の録画装置とは別のＤＶＤ−ＲＡＭやＳＤカード等の記録媒体である。なお、機器によっては再生経路選択部３および記録媒体５が省略される場合もある。１０１〜１０５は信号線であり映像や音声信号の受け渡しに使用する。以上は録画再生装置の基本的な構成であり、本発明の主体はＣＭ視聴管理方法であるので詳細な説明は省略する。以下、ＣＭ視聴管理方法に係わる構成について説明する。
【００１８】
１１は受信した放送からＣＭ情報を検出するＣＭ検出部であり信号線１１１より入力された映像信号からＣＭ情報を検出し、検出結果を１１２の信号線を介して１２のＣＭ視聴管理部に伝える。ＣＭ視聴管理部１２は録画装置１から信号線１１３を介して録画している記録媒体の録画位置を取得する。図２に記載の内容の録画をした場合、図３に示すような番組内の本編部分とＣＭ部分のインデックス情報を構築し記憶する。
【００１９】
図２および図３について説明しておくと、図２は番組ＡＡＡおよび番組ＢＢＢが録画装置に録画されており、番組ＡＡＡのＣＭ部は００００〜００１０の期間であり、番組ＢＢＢのＣＭ部は００００〜００２０、０１００〜０１２０、０８００〜０８１０の期間であることを示す。図３はインデックスに記録する内容を表し、番組を視聴したか否かの情報とその番組に付随するＣＭの開始位置、終了位置、および視聴したか否かの情報を必要数分記録する。なお、インデックスはＣＭ視聴管理部のメモリに作成することに限定せず、録画装置１に記録をする方法を取っても良い。
【００２０】
図１についての説明に戻る。再生情報を再生装置２から信号線１１４を介してＣＭ視聴管理部に伝達され、ＣＭ視聴管理部において番組の本編の視聴およびＣＭの視聴を前記インデックスに記憶する。１３は分離再生制御部であり信号線１１５を介してＣＭ視聴管理部１２のインデックス情報を取得し、インデックス情報を元に視聴者の「本編のみの再生操作」や「ＣＭのみの再生操作」といった操作要求にあわせた再生処理制御を再生処理部２に対して制御線１１６を介して行う。１４は削除可否判定部であり視聴者の番組削除要求に対して、既に本編部分を視聴したことのある番組の場合、付随するＣＭを視聴していれば削除を許可し、視聴していなければ本編部分のみを削除するよう制御線１１８を介して録画装置１に対し削除制御を行う。また、本編を一度も視聴していない場合は付随するＣＭの視聴の有無に関係無く削除を許可する。
【００２１】
以上のように本発明の実施の形態１に係わる録画再生装置は、録画した番組から本編部分とＣＭ部分を正確に分離して再生する機能と、再生して視聴した番組に付随するＣＭ部分を必ず視聴してもらえるようにする仕組みを提供することができる。
【００２２】
（実施の形態２）
図４は、実施の形態２に記載の発明に係わる実施の形態の一例を表すブロック図である。
【００２３】
図１で説明の構成に対し再生処理２から信号線１１９を介して再生の方法が標準速度の再生であるのか倍速の再生であるのかといった再生方法情報をＣＭ視聴管理部１２に伝える。ＣＭ視聴管理部１２は再生方法の内容によりＣＭ視聴が行われたかどうかを判定する。例えば、２倍速までならばＣＭを視聴したと判定するといったことができる。なお、このＣＭ視聴判定基準については、あらかじめ放送事業者と取り決めを行って固定の基準を設けておく方法や、ＣＭ情報の中にＣＭ視聴判定基準情報を追加する方法等を用いることができる。
【００２４】
以上のように本発明の実施の形態２に係わる録画再生装置は、ＣＭの視聴判定を番組提供者が許容する再生速度の範囲に限定できるので、非常に早い倍速再生による視聴によりＣＭの内容を視聴者に理解してもらえないといった問題を防止することができる。
【００２５】
（実施の形態３）
図５は、実施の形態３に記載の発明に係わる実施の形態の一例を表すブロック図である。
【００２６】
図１に構成に対し、ＣＭ視聴の代償行為を実行するための１５のインターネット閲覧手段から信号線１２１を介し１６のＣＭ視聴代償行為判定部に対しＣＭ視聴の代償行為の実施を通知する。また、ＣＭ視聴代償行為判定部には、再生経路選択部３から信号線１２０を介して記録媒体５へ映像信号を出力したことを通知される。ＣＭ視聴代償行為判定部は信号線１２２を介しＣＭ視聴代償行為の実施をＣＭ視聴管理部１２に通知する。ＣＭ視聴管理部１２はＣＭ視聴代償行為の実行通知をＣＭ視聴として処理する。なお、ＣＭ視聴代償行為については、前記インターネットの閲覧等に限るものではなく、デジタル放送のデータ放送で実施するクイズに正解することや、特定のチャンネルを視聴した時間がある基準をクリアすることや、場合によっては代償となる料金を支払うことなど様々な代償行為が考えられる。
【００２７】
以上のように本発明の実施の形態３に係わる録画再生装置は、例えばインターネット閲覧手段を内蔵している機器においては番組の指定するＷＥＢを閲覧することや、メモリーカード等の記録媒体にＣＭを録画して携帯端末でＣＭを視聴するといった代償行為を行うことでＣＭ削除を可能にするといった機能を提供することができる。
【産業上の利用可能性】
【００２８】
本発明の録画再生装置は、放送で送られてくるＣＭ情報をもとに、視聴者のＣＭ視聴の管理と、番組の本編と付随するＣＭ部分とを正確に分離した再生を可能にすることができるので放送事業者および番組提供者の不利益になることなく、視聴者に対し番組からＣＭを分離した本編を集中して視聴できる機能を提供できるという利点があり、放送を受信し録画および再生ができる装置を備える機器に関して有用である。
【図面の簡単な説明】
【００２９】
【図１】本発明の実施の形態を表す実施の形態１について説明するブロック図
【図２】実施の形態１に記載の録画装置の録画内容の例を表す図
【図３】実施の形態１に記載のインデックスに記録している内容の例を表す図
【図４】実施の形態２について説明するブロック図
【図５】実施の形態３について説明するブロック図
【図６】背景技術に記載の音多情報を用いたＣＭスキップ機能について説明するブロック図
【図７】背景技術に記載の有料放送を録画するためのシステムのブロック図
【符号の説明】
【００３０】
１    録画装置
２    再生処理部
３    再生経路選択部
４    ディスプレイデバイス
５    記録媒体
１１    ＣＭ検出部
１２    ＣＭ視聴管理部
１３    分離再生制御部
１４    削除可否判定部
１５    インターネット閲覧手段
１６    ＣＭ視聴代償行為判定部
６１    音多情報検出部
６２    ＣＭスキップ制御部
７１    デコード部
７２    課金制御部
１０１〜１０５、１１１〜１１５、１１７、１１９〜１２２、６０１、６０２、７０１    信号線
１１６、１１８、６０３、７０２    制御線
【図１】
2006252651.tif 000003
【図２】
2006252651.tif 000004
【図３】
2006252651.tif 000005
【図４】
2006252651.tif 000006
【図５】
2006252651.tif 000007
【図６】
2006252651.tif 000008
【図７】
2006252651.tif 000009